(57)【特許請求の範囲】
【請求項１】
携帯電話機と、携帯電話網を介して前記携帯電話機から送信される音声データを受信し記憶する外部記憶装置とからなる録音システムにおける携帯電話機であって、
送話音声および受話音声のデータをミキシングしたミキシング音声データを生成するミキシング手段と、
前記ミキシング音声データを前記外部記憶装置に録音する音声データとして分離可能に送話音声データに多重化した多重化音声信号を生成する多重化手段と、
前記多重化音声信号を送信する通信手段と、を備える
ことを特徴とする携帯電話機。
【請求項２】
前記多重化手段は、前記外部記憶装置を有する記録先を示すデータを付加して前記多重化音声信号を生成するものであることを特徴とする請求項１記載の携帯電話機。
【請求項３】
携帯電話機と、携帯電話網を介して前記携帯電話機から送信される音声データを受信し記憶する外部記憶装置とからなる録音システムにおける携帯電話網に備わる制御局であって、
携帯電話機から送られる、送話音声および受話音声のデータをミキシングしたミキシング音声データと送話音声データとを多重化した多重化音声信号を、ミキシング音声データと送話音声データとに分離する多重化音声分離手段と、
前記多重化音声分離手段により分離したミキシング音声データを記憶するか他の外部記憶装置に記憶させる記憶処理手段と、
前記多重化音声分離手段により分離した送話音声データからなる信号を通話先に送信する通信手段と、を備える
ことを特徴とする制御局。
【請求項４】
携帯電話機と、携帯電話網を介して前記携帯電話機から送信される音声データを受信し記憶する外部記憶装置とからなる録音システムにおいて、
前記携帯電話機は、
送話音声および受話音声のデータをミキシングしたミキシング音声データを生成するミキシング手段と、
前記ミキシング音声データを送話音声データに多重化した多重化音声信号を生成する多重化手段と、
前記多重化音声信号を送信する通信手段と、を備え、
前記携帯電話網に備わる制御局は、
携帯電話機から送られる前記多重化音声信号を、ミキシング音声データと送話音声データとに分離する多重化音声分離手段と、
前記多重化音声分離手段により分離したミキシング音声データを記憶するか他の外部記憶装置に記憶させる記憶処理手段と、
前記多重化音声分離手段により分離した送話音声データからなる信号を通話先に送信する通信手段と、を備える
ことを特徴とする携帯電話機を利用するネットワーク録音システム。
【請求項５】
インターネットを含むネットワークを介して前記記憶処理手段または他の外部記憶装置に記憶された前記ミキシング音声を取得可能とした
ことを特徴とする請求項４に記載の携帯電話機を利用するネットワーク録音システム。
【発明の詳細な説明】
【０００１】
【発明の属する技術分野】
本発明は、携帯電話機を利用するネットワーク録音システムに関する。
【０００２】
【従来の技術】
従来よりある携帯型の録音装置あるいは録音システムとしては、いわゆるボイスレコーダと称される録音機器がある。このボイスレコーダは、音声を記録する記録部として磁気テープあるいは半導体メモリが利用されている。このようなボイスレコーダには、自身の記録部以外に、ＰＣ（パーソナルコンピュータ）等を外部記憶装置として利用できるものもある。また、携帯電話システムにおいては、留守番電話機能を利用して、携帯電話機から音声を録音することもできる。また、特開２０００−２９９７５２号公報や特開２００１−１７７６５３号公報には、外部にある記録サーバや録音サービス局に、当該携帯電話機をボイスレコーダのごとく利用して、音声を録音させる技術が開示されている。
【０００３】
【発明が解決しようとする課題】
以上に挙げた録音装置や録音システムでは、以下に示す問題点がある。
（ａ）一般的なボイスレコーダ：一般的には、記録媒体として用いる磁気テープや半導体メモリの記憶容量に限りがあり、長時間録音するには音声データを圧縮する等の処理が必要となり、圧縮した場合には、音質が低下してしまう問題点がある。また、長時間録音するために、容量の大きい記録媒体を用いると、コストが高くついたり、サイズが大きくなってしまう等の問題点がある。
（ｂ）ＰＣに録音できるボイスレコーダ：ＰＣを利用することにより、その記憶装置（一般的には、ボイスレコーダ本体よりその記憶容量は大容量である）に録音することで、長時間で高品位の録音可能だが、利用者が別途ＰＣを用意する必要がある。
【０００４】
（ｃ）携帯電話の留守番電話機能：携帯電話機から、録音した音声データを再生できるが、他の機器からアクセスできないのが現状である。
（ｄ）特開２０００−２９９７５２号公報や特開２００１−１７７６５３号公報に開示された発明では、当該携帯電話機をボイスレコーダのごとく利用し、音声の長時間の高品位の録音が可能だが、携帯電話機を通じて行われる通話を録音できるものではない。また、この問題点は、上記ボイスレコーダや携帯電話の留守番電話機能についても同様にある。
【０００５】
本発明は、上記の点に鑑みてなされたもので、携帯電話機を用いた通話内容の録音を、携帯電話機にかかるコストを抑えて、長時間かつ高品位にできるようにする携帯電話機、制御局及び携帯電話機を利用するネットワーク録音システムを提供するものである。
【０００６】
【課題を解決するための手段】
本発明の携帯電話機は、携帯電話機と、携帯電話網を介して前記携帯電話機から送信される音声データを受信し記憶する外部記憶装置とからなる録音システムにおける携帯電話機であって、送話音声および受話音声のデータをミキシングしたミキシング音声データを生成するミキシング手段と、前記ミキシング音声データを前記外部記憶装置に録音するデータとして分離可能に送話音声データに多重化した多重化音声信号を生成する多重化手段と、前記多重化音声信号を送信する通信手段と、を備えることを特徴とする。
また前記多重化手段は、前記外部記憶装置を有する記録先を示すデータを付加して前記多重化音声信号を生成する形態をとることができる。
【０００７】
また、本発明の制御局は、携帯電話機と、携帯電話網を介して前記携帯電話機から送信される音声データを受信し記憶する外部記憶装置とからなる録音システムにおける携帯電話網に備わる制御局であって、携帯電話機から送られる、送話音声および受話音声のデータをミキシングしたミキシング音声データと送話音声データとを多重化した多重化音声信号を、ミキシング音声データと送話音声データとに分離する多重化音声分離手段と、前記多重化音声分離手段により分離したミキシング音声データを記憶するか他の外部記憶装置に記憶させる記憶処理手段と、前記多重化音声分離手段により分離した送話音声データからなる信号を通話先に送信する通信手段と、を備えることを特徴とする。
【０００８】
また、本発明の携帯電話機を利用するネットワーク録音システムは、携帯電話機と、携帯電話網を介して前記携帯電話機から送信される音声データを受信し記憶する外部記憶装置とからなる録音システムにおいて、前記携帯電話機は、送話音声および受話音声のデータをミキシングしたミキシング音声データを生成するミキシング手段と、前記ミキシング音声データを送話音声データに多重した多重化音声信号を生成する多重手段と、前記多重化音声信号を送信する通信手段と、を備え、前記携帯電話網に備わる制御局は、携帯電話機から送られる前記多重化音声信号を、ミキシング音声データと送話音声データとに分離する多重化音声分離手段と、前記多重化音声分離手段により分離したミキシング音声データを記憶するか他の外部記憶装置に記憶させる記憶処理手段と、前記多重化音声分離手段により分離した送話音声データからなる信号を通話先に送信する通信手段と、を備えることを特徴とする。
【０００９】
また、本発明は、請求項３に記載の携帯電話機を利用するネットワーク録音システムにおいて、インターネットを含むネットワークを介して前記記憶処理手段または他の外部記憶装置に記憶された前記ミキシング音声を取得可能としたことを特徴とする。
【００１０】
【発明の実施の形態】
以下、本発明の実施の形態を、図面を参照して説明する。
図１に、本発明の一実施の形態であるネットワーク録音システムの全体のシステム構成を示している。
【００１１】
図１に示すように本実施の形態のネットワーク録音システムは、通話中の会話を録音する場合、通話中の送話音声と受話音声のデータをミキシングし、ミキシングしたミキシング音声データ（以下、通話音声データと称す）と送話音声データとを多重化して多重化音声信号を生成し送信する携帯電話機１と、携帯電話網にあり、携帯電話機１から受けた多重化音声信号から通話音声データと送話音声データを抽出するとともに分離し、分離した通話音声データを携帯電話機１からみた外部記憶装置としての記憶部（ＤＢ）２１に記憶するか他の外部の記憶装置に記憶させ、他方、送話音声データ（送話音声信号）は、通話先（通話の相手）に向け送信する制御局（ＳＣＰ：Ｓｅｒｖｉｃｅ Ｃｏｎｔｒｏｌ Ｐｏｉｎｔ）２とから構成される。なお、外部の記憶装置としては、インターネットを介して接続されたＷＷＷ（Ｗｏｒｌｄ Ｗｉｄｅ Ｗｅｂ）サーバ３や、あるいは利用者が使用するＰＣ（パーソナルコンピュータ）・４であってもよい。この場合、制御局２は、インターネットを介して、上記ＷＷＷサーバ３やＰＣ・４に接続可能であるとする。
【００１２】
そして、利用者は、携帯電話機１や固定電話機５あるいはＰＣ・４から、上記制御局２を介して、制御局２または外部の記憶装置に録音された通話音声を再生して聞くことができるものとなっている。また、言うまでもないが、録音される通話音声データは、所定のフォーマットのファイルとして、制御局２の記憶部２１あるいは外部の記憶装置に記録され、再生する場合は、このファイルの内容を制御局２において音声信号に戻して利用者側の機器（携帯電話機１、固定電話機５、ＰＣ・４）に送信するか、ファイルそのものを、必要に応じて制御局２を介し転送し、利用者側の機器（携帯電話機１、ＰＣ・４）において受信したファイルの内容を再生するようにしてもよい。もちろん、利用者が使用するＰＣ・４に通話音声が記録される場合で、かつＰＣ・４上で再生する場合には、このＰＣ・４において直接再生することも可能である。
【００１３】
なお、本実施の形態において、携帯電話機１は、通話中の送話音声と受話音声のデータをミキシングし、ミキシングした通話音声データと送話音声データを多重化した多重化音声信号を生成する機能を有する点を除けば、従来の一般的な携帯電話機と同様に構成される（詳細は、後述する）。また、制御局２は、通信機能を有するコンピュータ装置を利用して実現できる。また、通常の通話がなされる場合は、携帯電話網においては、制御局２を介さず通常どおりの交換接続がなされる。
【００１４】
ここで、本実施の形態の携帯電話機１の構成について、図２のブロック図を参照して説明する。
【００１５】
図２において、符号１ａは、ＣＰＵ（中央処理装置）であり、各種制御プログラムを実行することにより携帯電話機１の各部の動作を制御する。通話内容の録音をする場合（通話録音モード）および通話内容の再生をする場合（通話再生モード）の制御の詳細は後述する。
【００１６】
符号１ｂは、ＲＯＭ（Ｒｅａｄ Ｏｎｌｙ Ｍｅｍｏｒｙ）である。このＲＯＭ１ｂは、ＣＰＵ１ａが実行する送信・着信等の制御をする各種電話機能プログラムや電子メールの送受信を制御するメール送受信機能プログラムや、楽曲再生処理を補助するプログラムや、予め記録された楽曲データや伴奏データや、記録先の情報（通話内容を外部の記憶装置に記録する場合のＷＷＷサーバ３またはＰＣ・４のアドレス情報（ＵＲＬ：Ｕｎｉｆｏｒｍ Ｒｅｓｏｕｒｃｅ Ｌｏｃａｔｏｒなど）等の各種データが格納されている。
符号１ｃは、ＲＡＭ（Ｒａｎｄｏｍ Ａｃｃｅｓｓ Ｍｅｍｏｒｙ）であり、ＣＰＵ１ａのワークエリアや、ダウンロードされた楽曲データや伴奏データの格納エリア、および、受信した電子メールのデータが格納されるメールデータ格納エリア等が設定される。
【００１７】
また、符号１ｄは、操作部であり、携帯電話機１の本体に設けられた「０」〜「９」のダイヤルボタンを含む各種ボタン（図示せず）からの入力を検知する入力手段である。なお、通話内容の録音をする場合（通話録音モード）あるいは録音した通話内容を再生する場合（通話再生モード）は、所定のキー操作を受ける。
また、符号１ｅは、ＬＣＤ（Ｌｉｑｕｉｄ Ｃｒｙｓｔａｌ Ｄｉｓｐｌａｙ）等から構成される表示部であり、電話機能や電子メール送受信機能のメニューや、ダイヤルボタン等の各種ボタンの操作に応じた表示をする。
【００１８】
また、符号１ｆは、音源であり、選択された楽曲データを再生して着信音あるいは保留音として背面スピーカから出力する。
また、符号１ｇは、通信部であり、この通信部１ｇに備わるアンテナで受信された信号の復調を行うとともに、送信する信号を変調してアンテナに供給している。通話録音モードにおいては、ＣＰＵ１ａの制御を受け、送話音声データに加え、記録先を示すデータと、記録すべき音声データとを付加した送信データを基地局に送信する。
【００１９】
通信部１ｇで復調された受話信号は、ＣＥＬＰデコーダ１ｈにおいて復号された後、Ｄ／Ａコンバータ１ｉによりＤ／Ａ変換されて受話口（イヤースピーカ）から出力される。一方、送話口（マイク）から入力された音声信号はＡ／Ｄコンバータ１ｊによりデジタル化されＣＥＬＰエンコーダ１ｋにおいて圧縮符号化された後、通信部１ｇから基地局に向け送信される。本実施の形態では、ＣＥＬＰ（Ｃｏｄｅ Ｅｘｃｉｔｅｄ ＬＰＣ）方式のエンコード／デコードをするものとするが、ＡＤＰＣＭ（適応差分ＰＣＭ符号化）方式等により、音声データの高能率圧縮符号化／復号化をしてもよい。
【００２０】
符号１ｌは、ミキサであり、ＣＥＬＰデコーダ１ｈからの復号化された受話音声のデータと、Ａ／Ｄコンバータ１ｊからの送話音声のデータをミキシングする。ミキシングされた通話音声のデータは、圧縮部１ｍによりデータ圧縮され、圧縮された通話音声のデータはＦＩＦＯ（Ｆａｓｔ Ｉｎ Ｆａｓｔ Ｏｕｔ）・１ｎに順次記憶される。通話録音モードでは、ＣＰＵ１ａの制御により、ＦＩＦＯ・１ｎに記憶された通話音声データが通信部１ｇに渡され基地局に向け送信される。
なお、各機能ブロックはバス１０を介してデータや命令の授受を行っている。
【００２１】
次に、本実施の形態の制御局２の構成について、図１のブロック図を参照して説明する。
【００２２】
制御局２は、携帯電話機１から受ける録音すべき通話音声のデータならびに制御プログラム等を記憶する記憶部（ＤＢ）２１と、制御プログラムにより各種処理を実行する制御部２２と、インターネットや携帯電話網あるいは公衆電話網に接続し通信するためのインターフェースである通信部２３とから構成される。
【００２３】
制御局２は、携帯電話機１の通話録音モードにて下記の送信データ（多重化音声のデータ）を受ける。
通話録音モードにて携帯電話機１から送信される送信データは、図３に示すように、通常の音声通話において送信される送話音声データに、記録先を示すデータおよび記録すべき音声データ（通話音声データ）が付加されたデータ構造をもつ。制御部２２は、通信部２３がこの送信データを受信すると、この送信データから送話音声データと、記録先を示すデータおよび記録すべき音声データとを分離する。そして、送話音声データを通話相手（通話先）に向け送出し、記録すべき音声データは、記録先を示すデータに基づき記録先にこの記録すべき音声データを送り記録させる。また、このとき携帯電話機１の電話番号（または、携帯電話機１を識別するための情報）と記録先を示す情報を対応付け記憶部２１に保存する。
【００２４】
一方、携帯電話機１または固定電話機５の通話再生モードにて再生要求（携帯電話機１の電話番号等の携帯電話機１を識別するための情報を含む）を受けると、制御部２２は、当該携帯電話機１の電話番号に対応する、記録された通話音声データを記録先から取得・再生し、携帯電話機１または固定電話機５に送信する。このようにして、利用者は、録音した通話内容を聞くことができる。他方、利用者のＰＣ・４等の他の機器からインターネットを介して再生要求を受けることもできるが、詳細は、下記の動作説明にて説明する。
【００２５】
なお、記憶部２１は、ハードディスク、光磁気ディスク等の不揮発性の記録装置により構成されている。
また、制御部２２は、メモリおよびＣＰＵ（中央処理装置）等により構成され、制御プログラム（図示せず）をメモリにロードして実行することによりその機能が実現されるものとする。
また、通信部２３は、携帯電話網内の通信を行えるほか、公衆電話網やインターネットに接続可能とする。
また、本実施の形態において携帯電話機１とは、いわゆるＣＤＭＡ（符合分割多重接続）方式やＰＤＣ（Ｐｅｒｓｏｎａｌ Ｄｉｇｉｔａｌ ＣｅｌｌｕｌａｒＳｙｓｔｅｍ）方式などの携帯電話機やＰＨＳ（登録商標）（Ｐｅｒｓｏｎａｌ Ｈａｎｄｙｐｈｏｎｅ Ｓｙｓｔｅｍ）端末を代表して称すものとする。
【００２６】
次に、このように構成された本実施形態のネットワーク録音システムの動作について説明する。
【００２７】
利用者が携帯電話機１を通話録音モードにするため、操作部１ｄに対し所定の操作をすると、携帯電話機１は通話録音モードとなり、所定の特殊番号等と当該携帯電話機１を識別するための情報（ここでは、携帯電話機１の電話番号とする）が携帯電話網に発せられる。ここで発せられる信号を制御局アクセス信号と呼ぶことにする。
【００２８】
携帯電話機１の通話録音モードにて発せられた上記制御局アクセス信号が基地局にて受信されると、この制御局アクセス信号に含まれる特殊番号から携帯電話機１は制御局２に接続される。その後、携帯電話機１から送信される送信データ（図３参照）が制御局２に送られ、制御局２の通信部２３が、この送信データを受信することになる。
【００２９】
前述したように、通話録音モードにて携帯電話機１から送信される送信データは、通常の音声通話において送信される送話音声データに加え、記録先を示すデータおよび記録すべき音声データ（通話音声データ）が付加されたデータ構造をもっている。制御局２の通信部２３がこの送信データを受信すると、制御部２２は、この送信データから送話音声データと、記録先を示すデータおよび記録すべき音声データとを分離し、送話音声データを通話相手に向け送出する。一方、記録すべき音声データは、記録先を示すデータに基づき記録先にこの記録すべき音声データを送信し記録させる。また、このとき携帯電話機１を識別するためその電話番号と記録先を示す情報を対応付け記憶部２１に保存する。
このようにして、利用者と通話相手との間で通話（会話）がなされるとともに、その通話内容が記録先に録音される。
【００３０】
次に、携帯電話機１または固定電話機５の通話再生モードにて再生要求がなされる場合であるが、この場合、利用者による操作部１ｄに対する所定の操作に応じて、携帯電話機１または固定電話機５から所定の特殊番号および携帯電話機１の電話番号が発せられる。この所定の特殊番号および携帯電話機１の電話番号を含む再生要求が携帯電話網に発せられると、当該携帯電話機１または固定電話機５が制御局２に接続される。すると、制御局２の制御部２２は、当該携帯電話機１の電話番号に対応する、記録された通話音声データを記録先から取得・再生し、携帯電話機１または固定電話機５に送信する。制御局２の記憶部２１には、携帯電話機１の電話番号と通話音声データの記録先の情報が保存されているので、制御局２は、記録先から通話音声データを取得することができる（以下に説明する利用者のＰＣ・４等の他の機器からインターネットを介して再生要求がなされる場合でも同様である）。
以上のようにして、利用者は、録音した通話内容を聞くことができる。
【００３１】
他方、利用者のＰＣ・４等の他の機器からインターネットを介して再生要求がなされる場合で、ＶｏＩＰ（Ｖｏｉｃｅ ｏｖｅｒ ＩＰ）技術を利用する場合は、上記と同様に、ＰＣ・４側から所定の特殊番号および携帯電話機１の電話番号が発せられ、これに応じて制御局２に接続される。すると、制御局２の制御部２２は、当該携帯電話機１の電話番号に対応する、記録された通話音声データを記録先から取得・再生し、ＰＣ・４に向け送信する。
【００３２】
また、ＷＷＷ技術を利用する場合は、制御局２がＷＷＷサーバとして機能する。この場合、ＰＣ・４から制御局２を特定する所定のアドレス情報（ＵＲＬ）とともに、携帯電話機１の電話番号等の当該携帯電話機１を特定する情報を送信すると、ＰＣ・４は制御局２に接続され、制御局２から記録された通話音声データの所在を示すアドレス情報（ＵＲＬ）がＰＣ・４に通知される。ＰＣ・４は、このＵＲＬにアクセスすることで通話音声データを取得することができる。
【００３３】
以上、この発明の実施形態を、図面を参照して詳述してきたが、具体的な構成はこの実施形態に限られるものではなく、この発明の要旨を逸脱しない範囲の構成等も含まれる。
【００３４】
【発明の効果】
以上、詳細に説明したように、本発明によれば、携帯電話機を用いた通話内容を、携帯電話機以外の外部記憶装置に記憶するので、記憶容量に限りのある携帯電話機自体には大容量の、メモリ等の記憶媒体が不要となる。
また、外部記憶装置の記憶容量が許す限り、長時間、高品位に録音できる。
また、インターネットを含むネットワークを介して記憶処理手段または他の外部記憶装置に記憶された前記ミキシング音声を取得可能としたので、携帯電話機以外の機器からでも、録音されたミキシング音声データを再生しその内容を聞くことができ、さらに、加工等の処理を加えることも可能となる。
【図面の簡単な説明】
【図１】  本発明の一実施の形態であるネットワーク録音システムの全体構成を示す図である。
【図２】  同実施の形態の携帯電話機の構成を示すブロック図である。
【図３】  送信データ（通話音声データ）のデータ構造を示す図である。
【符号の説明】
１…携帯電話機、１ａ…ＣＰＵ（多重手段の一部を含む）、１ｂ…ＲＯＭ、１ｃ…ＲＡＭ、１ｄ…操作部、１ｅ…表示部、１ｆ…音源、１ｇ…通信部（携帯電話機の通信手段、多重手段の一部を含む）、１ｈ…ＣＥＬＰデコーダ、１ｉ…Ｄ／Ａコンバータ（Ｄ／Ａ）、１ｊ…Ａ／Ｄコンバータ（Ａ／Ｄ）、１ｋ…ＣＥＬＰエンコーダ、１ｌ…ミキサ（ミキシング手段）、１ｍ…圧縮部、１ｎ…ＦＩＦＯ、１０…バス、２…制御局、２１…記憶部（ＤＢ；記憶処理手段の一部）、２２…制御部（多重音声分離手段、記憶処理手段の一部を含む）、２３…通信部（制御局の通信手段）、３…ＷＷＷサーバ、４…ＰＣ、５…固定電話機
【図１】
0003687608.tif 000002
【図２】
0003687608.tif 000003
【図３】
0003687608.tif 000004